(57)【特許請求の範囲】
【請求項１】
記録中の時刻管理を示すＳＣＲ(System Clock Reference)値がある一定値以上になった場合でも記録を可能とする映像記録再生方法において、
前記ＳＣＲ値が、ある閾値をこえた場合に、該ＳＣＲ値を初期値にして記録を継続させ、記録が終了した時点で、前記ＳＣＲ値が初期値の地点から圧縮符号化された音声映像データを示すビデオオブジェクトを分割するようにしたことを特徴とする映像記録再生方法。
【請求項２】
記録中の時刻管理を示すＳＣＲ(System Clock Reference)値がある一定値以上になった場合でも記録を可能とする映像記録再生方法において、
編集のために所定の地点で予め前記ＳＣＲ値を初期値にし、記録終了後に圧縮符号化された音声映像データを示すビデオオブジェクトを分割するようにしたことを特徴とする映像記録再生方法。
【請求項３】
記録を終了した時点において、前記ビデオオブジェクトを単一のものから、記録時間を０にした時点で複数に分割することを特徴とする請求項１記載の映像記録方法。
【請求項４】
前記ビデオオブジェクを分割したデータに、さらに記録されたデータが連続動作であることを示すフラグを１にしたことを特徴とする請求項１または２記載の映像記録方法。
【請求項５】
編集可能性のある点において、記録時間を示すデータをリセットして、初期状態にして記録終了後に、前記ビデオオブジェクトを分割することを特徴とする請求項２記載の映像記録方法。
【請求項６】
記録中の時刻管理を示すＳＣＲ(System Clock Reference)値がある一定値以上になった場合でも記録を可能とする映像記録再生装置において、
前記ＳＣＲ値が、ある閾値をこえた場合に、該ＳＣＲ値を初期値にして記録を継続させる手段と、
記録が終了した時点で、前記ＳＣＲ値が初期値の地点から圧縮符号化された音声映像データを示すビデオオブジェクトを分割する手段とを具備したことを特徴とする映像記録再生装置。
【請求項７】
記録中の時刻管理を示すＳＣＲ(System Clock Reference)値がある一定値以上になった場合でも記録を可能とする映像記録再生装置において、
編集のために所定の地点で予め前記ＳＣＲ値を初期値にする手段と、
記録終了後に圧縮符号化された音声映像データを示すビデオオブジェクトを分割する手段とを具備したことを特徴とする映像記録再生装置。
【請求項８】
前記分割手段は、記録を終了した時点において、前記ビデオオブジェクトを単一のものから、記録時間を０にした時点で複数に分割することを特徴とする請求項６記載の映像記録装置。
【請求項９】
前記分割手段は、ビデオオブジェクを分割したデータに、さらに記録されたデータが連続動作であることを示すフラグを１にしたことを特徴とする請求項６または７記載の映像記録装置。
【請求項１０】
編集可能性のある点において、記録時間を示すデータをリセットして、初期状態にして記録終了後に、前記ビデオオブジェクトを分割することを特徴とする請求項７記載の映像記録装置。
【発明の詳細な説明】
【０００１】
【発明の属する技術分野】
この発明は、例えば内蔵されたハードディスクと着脱自在で録再可能なＤＶＤ(Digital Versatile Disk)などの複数の記録媒体を取り扱うことのできる映像記録再生方法および映像記録再生装置に関する。
【０００２】
【従来の技術】
近年、画像圧縮技術において、現在、国際規格化されたＭＰＥＧ２(Moving Image Coding Expert Group)方式を採用するとともに、ＡＣ−３オーディオ圧縮方式を採用したＤＶＤ規格が提案されている。
【０００３】
ところで、ＭＰＥＧ２ではＳＣＲ(System Clock Reference)という値を基準にして時間基準が与えられている。ＳＣＲは主にビデオとオーディオの再生時間の同期に使用され、ＰＴＳ(Presentation Time Stamp) やＤＴＳ（Decording Time Stamp）と呼ばれるもので再生時刻管理を行っている。これらＰＴＳやＤＴＳは、ＳＴＣ(System Time Clock)という２７ＭＨｚカウンタを元に符号化する際に生成される値である。このＳＴＣ値は、ＳＣＲに基づき再生時にＰＬＬを構成して生成される。
【０００４】
ＤＶＤ−ＲＡＭを使用し、リアルタイムでの映像情報記録再生が可能で映像の圧縮方式としてＭＰＥＧ２が用いられたシステムを実現する規格であるＤＶＤ−ＶＲ（Video Recording）規格でも同様に、ＳＣＲ／ＰＴＳ／ＤＴＳ／ＳＴＣにて再生時刻管理が行われている。さらに、記録する際には、ナビゲーション用にＰＴＭ(Presentaiton Time Stamp)という値を生成し、この値に基づいて再生時刻管理が行われている。このナビゲーションデータの記録・編集の大まかな単位はＶＯＢ（Video Object）と呼ばれるが、この１つのＶＯＢの記録時間は、ＴＭＡＰ（Time Map）という時間情報に従って、記録時間の長さが決められている。
【０００５】
さらに、ＭＰＥＧ２が用いられたＤＶＤ−ＶＲフォーマットでは、ＶＯＢのＳＣＲ／ＰＴＭは、連続していなけれならず、ＳＣＲ／ＰＴＭが連続しない場合は、通常はＶＯＢを分割しなければならない。しかしながら、編集を行った後などで、ＳＣＲ／ＰＴＭが連続しない場合があるので、ナビゲーションデータに連続再生を示すシームレスフラグを追加すると、そのＶＯＢは、前のＶＯＢの最後のＰＴＭ値を示して再生を連続させる。
【０００６】
また、ＭＰＥＧ２が用いられたＤＶＤ−Ｖｉｄｅｏフォーマットでも、ＳＣＲ値は、０から開始していなければならない。
一方では、大容量のハードディスク装置（ＨＤＤ）を内蔵した録再装置が製品化され、放送信号の記録再生に使用されている。画像圧縮技術の発達に伴い、情報記憶メディア（ＤＶＤ―ＲＡＭ、ハードディスク、半導体メモリ等）を放送信号などの映像情報を、リアルタイムで記録再生する映像記録再生装置が開発、製品化されている。これら、大容量の記憶装置を用いて、画像圧縮技術を使用した映像記録再生装置において、長時間記録再生が行われている。
【０００７】
しかしながら、さらなる記憶装置の大容量化が図られ、記録時間の長時間化が図られている。また、画像圧縮技術の向上により、低いビットレートでも、ある程度の画質が得られるようになり、さらに記録時間の長時間化が進んでいる。
【０００８】
ＳＣＲ、ＰＴＭ、ＴＭＡＰによるフォーマットは、現在のところ有効表示時間が限定されてしまうため、ＳＣＲ、ＰＴＭ、ＴＭＡＰの最大値まで記録した場合は、その時間にて記録を終了するか、または、一旦記録を中断して別のＶＯＢとして再度記録するようにしなければならなかった。
【０００９】
さらに、近年ではＤＶＤ−ＶＲフォーマットにて記録されたデータを、ＤＶＤ−Ｖｉｄｅｏフォーマットに変換して、ＤＶＤ−Ｒメディアなどに記録し、既存の再生装置やパソコン上で再生する用途などに用いられることが多くなってきた。ただし、ＤＶＤ−Ｖｉｄｅｏフォーマットでは、ＶＯＢの先頭のＳＣＲは０でなければならないため、従来は編集されたＤＶＤ−ＶＲフォーマットからＤＶＤ−Ｖｉｄｅｏフォーマットに変換するにはＳＣＲ、ＰＴＭを書き換えなければならなかった。
【００１０】
【発明が解決しようとする課題】
上記したように、従来のＳＣＲ、ＰＴＭ、ＴＭＡＰによるフォーマットに基づく映像記録再生装置では、有効表示時間が限定されることから、ＳＣＲ、ＰＴＭ、ＴＭＡＰの最大値まで記録した場合は、その時間にて記録を終了するか、一旦記録を中断して別のＶＯＢとして再度記録する必要があった。また、ＤＶＤ−ＶＲフォーマットにて記録されたデータを、ＤＶＤ−Ｖｉｄｅｏフォーマットに変換して、ＤＶＤ−Ｒメディアなどに記録し、既存の再生装置やパソコン上で再生する場合、編集されたＤＶＤ−ＶＲフォーマットからＤＶＤ−Ｖｉｄｅｏフォーマットに変換するにはＳＣＲ、ＰＴＭを書き換える必要があった。
【００１１】
そこで、この発明の映像記録再生方法および映像記録再生装置では、ＤＶＤ−ＶＲフォーマットで示されるＳＣＲ値がある一定値以上になっても長時間記録を可能にすることを第１の目的とし、編集後にＤＶＤ−Ｖｉｄｅｏフォーマットに変換する場合により効率的な変換を可能にすることを第２の目的とする。
【００１２】
【課題を解決するための手段】
上記した課題を解決するために、この発明の映像記録再生方法では、記録中の時刻管理を示すＳＣＲ(System Clock Reference)値がある一定値以上になった場合でも記録を可能とする方法にあって、前記ＳＣＲ値が、ある閾値をこえた場合に、該ＳＣＲ値を初期値にして記録を継続させ、記録が終了した時点で、前記ＳＣＲ値が初期値の地点から圧縮符号化された音声映像データを示すビデオオブジェクトを分割するようにしたことを特徴とする。
【００１３】
また、記録中の時刻管理を示すＳＣＲ(System Clock Reference)値がある一定値以上になった場合でも記録を可能とする方法にあって、編集のために所定の地点で予め前記ＳＣＲ値を初期値にし、記録終了後に圧縮符号化された音声映像データを示すビデオオブジェクトを分割するようにしたことを特徴とする。
【００１４】
この発明の映像記録再生装置では、記録中の時刻管理を示すＳＣＲ(System Clock Reference)値がある一定値以上になった場合でも記録を可能とするものにあって、前記ＳＣＲ値が、ある閾値をこえた場合に、該ＳＣＲ値を初期値にして記録を継続させる手段と、記録が終了した時点で、前記ＳＣＲ値が初期値の地点から圧縮符号化された音声映像データを示すビデオオブジェクトを分割する手段とを具備したことを特徴とする。
【００１５】
また、記録中の時刻管理を示すＳＣＲ(System Clock Reference)値がある一定値以上になった場合でも記録を可能とするものにあって、編集のために所定の地点で予め前記ＳＣＲ値を初期値にする手段と、記録終了後に圧縮符号化された音声映像データを示すビデオオブジェクトを分割する手段とを具備したことを特徴とする。
【００１６】
【発明の実施の形態】
以下、この発明の実施の形態について、図面を参照しながら詳細に説明する。
図１は、この発明の記録媒体としてＤＶＤ−ＲＡＭ、ハードディスクの両方を取り扱うことができる映像記録再生装置の一実施の形態について説明するための回路構成図である。
【００１７】
図１において、映像入力部１および音声入力部２から映像信号と音声信号を入力する。映像信号はＡ／Ｄ変換器３で、音声信号はＡ／Ｄ変換器４にてそれぞれアナログ信号からディジタル信号に変換する。
【００１８】
変換されたディジタル信号のうち映像信号は、エンコーダ５にてＭＰＥＧ２の圧縮ビデオデータに符号化し、音声信号はＡＣ−３やＭＰＥＧなどの圧縮オーディオデータに符号化する。さらに、これらの圧縮されたビデオとオーディオデータは、エンコーダ５にてＭＰＥＧ２システムレイヤーに変換する。
【００１９】
エンコーダ５からの出力されるＭＰＥＧ２システムレイヤに変換された信号は、フォーマッタ６でフォーマット変換し、ＤＶＤ−ＲＡＭ，ＤＶＤ−Ｒ，ＤＶＤ−ＲＷなどのＤＶＤレコーディング規格に規定したフォーマットに変換する。
【００２０】
フォーマット変換された信号は、データ処理部７でＤＶＤ−ＲＡＭドライバ８やハードディスクドライバ９に準拠したコマンドを含めた記録データに変換し、ＤＶＤ−ＲＡＭ８１やハードディスク９１に記録する。データ処理部７は主にバッファ回路で占められている。
【００２１】
ＤＶＤ−ＲＡＭドライバ８では、光ディスクメディアのＤＶＤ−ＲＡＭ８１の読み書きができ、また幾つかの種類のＤＶＤ−ＲＡＭに対応してアクセスが可能である。ハードディスクドライバ９には、記録媒体であるハードディスク９１が内蔵されている。これら、２つの記録メディアのドライバは、回転制御系や、レーザー駆動系回路や、光学系回路または、メディアに記録されたデータのエラー訂正などの処理もすべて含まれた装置である。
【００２２】
ここでの装置は、フォーマット変換されたデータのほかに、再生用管理情報をＭＰＵ部１８で作成し、データ処理部７を介してＤＶＤ−ＲＡＭ８１やハードディスク９１に記録する。
【００２３】
また、ＤＶＤ−ＲＡＭ８１に記録された情報をデータ処理部７からハードディスク９１に記録することもできる。反対に、ハードデスクの情報をＤＶＤ−ＲＡＭ８１に記録することも可能である。ただし、ＤＶＤ−ＲＡＭ８１もハードディスク９１も同じフォーマットであることが条件である。
【００２４】
また、ＤＶＤ−ＲＡＭ８１あるいはハードディスク９１に記録された複数番組の編集も可能になる。その場合、後述するＤＶＤ−ＶＲフォーマットに対応した方法などにて、容易に複数番組の削除や、編集用再生等が可能である。その場合、ＭＰＵ部１８にて、それら管理情報の修正と、さらに、フォーマットされた信号の複写・移動・削除などをデータ処理部７を介して行われる。
【００２５】
記録されたデータを再生する場合、ＤＶＤ−ＲＡＭ８１やハードディスク９１からデータ処理部７にフォーマットされたデータを入力し、デコーダ１０に供給する。デコーダ１０では、ＤＶＤフォーマット信号のデコードを行う。主に、フォーマットされたデータを分離する部分と、ビデオとオーディオ信号に圧縮されたデータを分離し、最後にビデオ信号はＭＰＥＧ２デコードを、オーディオ信号はＭＰＥＧやＡＣ−３などのデコードを行い、セレクタ１１ａ，１１ｂにそれぞれの信号を送る。
【００２６】
セレクタ１１ａ，１１ｂでは、Ａ／Ｄ変換器３，４の出力入力信号をそのままＤ／Ａ変換器１２，１３に送る場合と記録された情報を再生する場合で切り換える。この切り換え制御はＭＰＵ部１８で行う。
【００２７】
セレクタ１１ａから出力されるビデオ信号はビデオＤ／Ａ変換器１２で、セレクタ１１ｂから出力されるオーディオ信号はオーディオＤ／Ａ変換器１３でそれぞれアナログ信号に変換し、最後にモニタ１４とスピーカ１５に出力する。
【００２８】
また、ＭＰＵ部１８では、上記に述べた以外に、キー入力部１６からユーザーのコマンド制御を受け、記録再生装置の制御を行い、表示器１７で現在の状態をユーザー知らせる。ＭＰＵ部１８では、これらの処理のために、ＲＡＭや制御プログラムなどを内蔵したＲＯＭを備えている。ＭＰＵ１８は、制御プログラムに従って、システム全体の制御、ユーザーからのコマンド制御の入力、現在の状態表示、ＤＶＤフォーマットの各種検出等の制御を行う。
【００２９】
ここで、ＤＶＤ−ＶＲの管理情報と、コンテンツであるビデオオブジェクトとの関係を図２を用いて簡単に説明する。
まず、ビデオオブジェクト（ＶＯＢ）について説明する。ＶＯＢはディレクトリでは、ＶＲ＿ＭＯＶＩＥ．ＶＲＯファイルと称されるビデオファイルは階層構造である。一つのファイルは、一つ又は複数のＶＯＢ（ビデオオブジェクト）で、一つのＶＯＢは、一つ又は複数のＶＯＢＵ（ビデオオブジェクトユニット）で、一つのＶＯＢＵは、複数のパックからそれぞれ構成される。複数のパックとしては、ＲＤＩパック、Ｖ（ビデオ）パック、Ａ（オーディオ）パック等が存在する。ＳＰ（副映像）パックが存在しても良い。
【００３０】
このＲＤＩパックには、これが属するＶＯＢＵの最初のフィールドが再生される開始時間を示す情報、当該ＶＯＢＵの記録時を示す情報、製造者情報（ＭＮＦＩ）などを含む。また、ディスプレイ制御情報（ＤＣＩ）及びコピーコントロール情報（ＣＣＩ）を含む。ディスプレイ制御情報は、アスペクト比情報、サブタイトルモード情報、フィルムカメラモード情報を示す。コピーコントロール情報（ＣＣＩ）は、コピー許可情報（０，０）またはコピー禁止（コピー否許可）情報（１，１）を含む。
【００３１】
Ｖパックは、ビデオデータがＭＰＥＧ２の方式で圧縮されたもので、パックヘッダ、パケットヘッダ、ビデオデータ部で構成されている。Ａパックは、オーディオデータが、例えばリニアＰＣＭあるいはＭＰＥＧあるいはＡＣ−３などの方式で符号化されたものであり、パックヘッダ、パケットヘッダ、オーディオデータ部で構成される。
【００３２】
次にメイン管理情報について説明する。管理情報は、ビデオマネージャー（ＶＭＧ）と称され、その中にデータ再生順序を管理するプログラムチェーン（ＰＧＣ）が定義され、さらにセル（ＣＥＬＬ）には、再生すべき対象となるビデオオブジェクト（ＶＯＢ）に関する情報であるビデオオブジェクト情報（ＶＯＢＩ）が定義されている。ＰＧＣの具体的情報を記録してある部分がプログラムチェーン情報（ＰＧＣＩ）部分である。ＰＧＣＩには、２種類が存在し、一つはオリジナルＰＧＣＩ（ＯＲＧ＿ＰＧＣＩ）、もう一つはユーザーデファインドＰＧＣテーブル（ＵＤ＿ＰＧＣＩＴ）である。通常、記録時には、オリジナルＰＧＣＩが作成される。ユーザーデファインドＰＧＣＩＴは、オリジナルＰＧＣで管理されているビデオオブジェクトに対して編集（削除、追加、間引き）などが行われたとき、プレイリストという管理情報として作成される。
【００３３】
ＶＯＢＩ内には、タイムマップ（ＴＭＡＰ）が記述されており、このＴＭＡＰは、ＶＯＢＩに対するＶＯＢを構成しているＶＯＢＵを指定する。ＣＥＬＬからＶＯＢＩへのリンクは、論理アドレスで特定されている。また、ＴＭＡＰ情報からＶＯＢ及びＶＯＢＵへのリンクは、ＶＯＢのストリーム番号、各ターゲットＶＯＢＵへの論理アドレスに基づいて行われている。
【００３４】
図３において、管理情報中の上記ＰＧＣ、ＣＥＬＬならびにＶＯＢＩ情報を含むＡＶＦＩＴの階層を説明する。
プログラムチェーン情報（ＰＧＣＩ）は、プログラムチェーン一般情報（ＰＧＣ＿ＧＩ）とプログラム情報（ＰＧＩ）と、セル情報（ＣＩ）を含む。プログラム情報とセル情報は、図２のＰＧＣ・ＣＥＬＬに対応する。セル情報（ＣＩ）は、セル一般情報（Ｃ＿ＧＩ）があり、セル開始ＰＴＭ（Ｃ＿Ｖ＿Ｓ＿ＰＴＭ）とセル終了ＰＴＭ（Ｃ＿Ｖ＿Ｅ＿ＰＴＭ）が含まれる。
【００３５】
記録された動画像の情報を示すＡＶファイル情報テーブル（Ｍ＿ＡＶＦＩＴ）は、ＡＶファイル情報テーブル情報（Ｍ＿ＡＶＦＩＴＩ）とＶＯＢストリーム情報（Ｍ＿ＶＯＢ＿ＳＴＩ）と、ＡＶファイル情報（Ｍ＿ＡＶＦＩ）を含む。ＡＶファイル情報テーブルは、オリジナルＡＶファイルが幾つ存在するかを示すファイル情報数（Ｍ＿ＡＶＦＩ＿Ｎｓ）、ＶＯＢストリームが幾つ存在するかを示す数（Ｍ＿ＶＯＢ＿ＳＴＩ＿Ｎｓ）、ＡＶＦＩＴの相対的な最終論理アドレスを示すアドレス情報（Ｍ＿ＡＶＦＩＴ＿ＥＡ）が記述されている。
【００３６】
ＶＯＢストリーム情報（Ｍ＿ＶＯＢ＿ＳＴＩ）では、各ＶＯＢのストリームの主な仕様が記述されている。主な内容は、ビデオ属性情報（Ｖ＿ＡＴＲ）、ＶＯＢ内のオーディオストリーム数(ＡＳＴ＿Ｎｓ)、ＶＯＢ内のサブピクチャー数（ＳＰＳＴ＿Ｎｓ）、オーディオストリーム属性情報１・２（Ａ＿ＡＴＲ０／Ａ＿ＡＴＲ１）、サブピクチャカラーパレット情報(ＳＰ＿ＰＬＴ)である。なお、Ｍ＿ＶＯＢ＿ＳＴＩは、複数のＶＯＢに対応しても良い。図３の例では、Ｍ＿ＶＯＢ＿ＳＴＩは、Ｍ＿ＶＯＢ＿ＳＴＩ＃１からＭ＿ＶＯＢ＿ＳＴＩ＃ｎまで対応している。
【００３７】
ＡＶファイル情報（Ｍ＿ＡＶＦＩ）は、ＡＶファイル一般情報（Ｍ＿ＡＶＦＩ＿ＧＩ）、ＶＯＢＩサーチポインタ(Ｍ＿ＶＯＢＩ＿ＳＲＰ)、ＶＯＢ情報（Ｍ＿ＶＯＢＩ）が記述されている。
【００３８】
ＡＶファイル一般情報は、ＶＯＢＩサーチポインタ数(Ｍ＿ＶＯＢＩ＿ＳＲＰ＿Ｎｓ)のみである。
ＶＯＢＩサーチポインタは、ＶＯＢＩ情報の相対的な論理開始アドレスを示す。図３の例では、Ｍ＿ＶＯＢＩ＿ＳＲＰ＃１からＭ＿ＶＯＢＩ＿ＳＲＰ＃ｎまである。
ＶＯＢ情報（Ｍ＿ＶＯＢＩ）は、ＶＯＢ一般情報（Ｍ＿ＶＯＢＩ＿ＧＩ）、シームレス情報（ＳＭＬＩ）、オーディギャップ情報（ＡＧＡＰＩ）、タイムマップ情報（ＴＭＡＰＩ）で構成される。
【００３９】
ＶＯＢ一般情報は、ＶＯＢタイプ（ＶＯＢ＿ＴＹ）を、ＶＯＢ記録時間（ＶＯＢ＿ＲＥＣ＿ＴＭ）、ＶＯＢ記録補助時間（ＶＯＢ＿ＲＥＣ＿ＴＭ＿ＳＵＢ）、ＶＯＢストリーム情報番号（Ｍ＿ＶＯＢ＿ＳＴＩＮ）、ＶＯＢ開始ＰＴＭ値（ＶＯＢ＿Ｖ＿Ｓ＿ＰＴＭ）、ＶＯＢ終了ＰＴＭ値（ＶＯＢ＿Ｖ＿Ｅ＿ＰＴＭ）で構成される。
【００４０】
ＶＯＢタイプでは、前のＶＯＢからの連続性を示すシームレスフラグ（ＳＭＬ＿ＦＬＧ）が含まれる。
シームレス情報（ＳＭＬＩ）では、ＶＯＢ＿ＴＹのシームレスフラグ（ＳＭＬ＿ＦＬＧ）が１のときのみ、ＶＯＢ開始ＳＣＲ（ＶＯＢ＿ＦＩＲＳＴ＿ＳＣＲ）と、前ＶＯＢ最終ＳＣＲ（ＰＲＥＶ＿ＶＯＢ＿ＬＡＳＴ＿ＳＣＲ）の値が入力される。
【００４１】
また、ＴＭＡＰ情報（ＴＭＡＰＩ）では、ＴＭＡＰ一般情報（ＴＭＡＰ＿ＧＩ）、６００フィールド単位（ＮＴＳＣの場合）で記録情報を管理するタイムエントリー（ＴＭ＿ＥＮＴ）、ＶＯＢＵエントリー（ＶＯＢＵ＿ＥＮＴ）から構成される。
【００４２】
この実施の形態の動作について、図４のフローチャートを用いながら図１および図３とともに説明する。
まず、エンコーダ５の記録開始の準備を行う。ここで、エンコーダ５内部では、ＳＣＲ／ＰＴＭの値を０にする（Ｓ２）。次に、記録を開始し（Ｓ３）、記録が終了したかを判定する（Ｓ４）。記録中の場合は、ＤＶＤ−ＲＡＭ８１あるいはハードディスク９１にエンコーダ５から出力される符号化データと管理情報を記録する（Ｓ５）。
【００４３】
次に、エンコーダ６から出力されたＳＣＲがある閾値以上になったかを判定する（Ｓ６）。閾値以下ならば、通常の記録を続ける。もし、ＳＣＲがある閾値以上になったときは、エンコーダのＳＣＲ値とＰＴＭ値を０にリセットしてから、記録を継続する（Ｓ７）。そして、記録が終了した後に、上記ＳＣＲの記録中の０リセットが生じたかを判定し（Ｓ８）、記録中リセットが生じた場合は、ＳＣＲ＝０の地点でＶＯＢを分割し、ＴＭＡＰ情報の中のシームレスフラグ（ＳＭＬ＿ＦＬＧ）を１にし（Ｓ９）、シームレス情報（ＳＭＬＩ）に必要な情報を書き込む。なお、記録中にＳＣＲのリセットがないときは、そのまま記録を終了する。
【００４４】
この時の再生プログラムの管理情報とＶＯＢの関係は、図４に示すように一つのプログラム情報（ＰＧＩ＃１）にＶＯＢ＃１の開始／終了ＰＴＭ値（ＶＯＢ＿Ｖ＿Ｓ＿ＰＴＭ／ＶＯＢ＿Ｖ＿Ｅ＿ＰＴＭ）がＣＥＬＬ＃１の開始／終了ＰＴＭ値（Ｃ＿Ｖ＿Ｓ＿ＰＴＭ／Ｃ＿Ｖ＿Ｅ＿ＰＴＭ）となり、ＶＯＢ＃２の開始／終了ＰＴＭ値（ＶＯＢ＿Ｖ＿Ｓ＿ＰＴＭ／ＶＯＢ＿Ｖ＿Ｅ＿ＰＴＭ）がＣＥＬＬ＃２の開始／終了ＰＴＭ値（Ｃ＿Ｖ＿Ｓ＿ＰＴＭ／Ｃ＿Ｖ＿Ｅ＿ＰＴＭ）となる。そこでプログラムチェーン（ＰＧＣ）が定義される。ＶＯＢ＃２のシームレスフラグ（ＳＭＬ＿ＦＬＧ）が１になり、これらのＶＯＢがシームレスとなる。また、ＶＯＢ＃２のシームレス情報（ＳＬＭＩ）には、ＶＯＢ＃１の最後のＳＣＲ値が前ＶＯＢ最終ＳＣＲ値（ＰＲＥＶ＿ＶＯＢ＿ＬＡＳＴ＿ＳＣＲ）になる。再生時には、図１のデコーダ１０は、このフラグにより、このプログラムチェーンの再生全体をシームレスに行う。
【００４５】
この実施の形態では、たとえＤＶＤ−ＶＲフォーマットで示されるＳＣＲ値がある一定値以上になっても、長時間記録を実現することができる。
この発明の他の実施の形態について説明する。この実施の形態は、編集可能点、またはＣＭの境界や時報やユーザーが任意に操作設定した点でのＳＣＲ＝０をリセットする場合であり、この処理について図５を参照しながら説明する。
【００４６】
図５において、ステッブＳ３で記録を開始する。図５では、ステップＳ６をＳＣＲの閾値で判定していたが、この実施の形態では、これをＣＭの境界地点がきたときにＳＣＲ／ＰＴＭを０にする処理を行うようにする。
【００４７】
例えば、ほとんどのＣＭのオーディオはステレオになるため、オーディオがモノラルからステレオなどのオーディオモードが変更した点をＣＭ境界と判定し、記録終了後ＶＯＢを分割し、シームレスフラグを１にすれば良い。その後、編集をした後に、ＶＯＢ単位でＤＶＤ−Ｖｉｄｅｏに変換する場合は、ＳＣＲ／ＰＴＭ値はそのままで良く、効率的にＤＶＤ−Ｖｉｄｅｏフォーマット変換が可能となる。
【００４８】
この場合、ＣＭ境界だけではなく、チャプター作成などを良く行う点、例えばユーザーが指定した時間や、アスペクト変更点や、上記のオーディオモードが変更になった点などがありえる。また、ある一定時間単位などの特定の時間でＳＣＲ／ＰＴＭを０にリセットする場合や、ユーザーが指定した地点でＳＣＲ／ＰＴＭをリセットする方法や、記録を一時停止し、再記録した地点でリセットする場合などが考えられる。
【００４９】
図５では、ＳＣＲを比較したが、ＴＭＡＰ情報の中のタイムエントリー（ＴＭ＿ＥＮＴ）や、ＶＯＢＵエントリー（ＶＯＢＵ＿ＥＮＴ）を比較しても良い。これらのデータがある一定の閾値以上になったならば、同様の処理を行うことで、長時間の記録が可能になる。
【００５０】
この実施の形態では、編集後にＤＶＤ−ＶＲフォーマットからＤＶＤ−Ｖｉｄｅｏフォーマットに変換する場合により効率的な変換が可能になる。
この発明は上記した実施の形態に限定されるものではない。たとえば、複数の記録装置がなくても、映像記録再生装置の構成はどのようであっても構わない。また、上記実施例において、記録された映像の再や、編集を行った後のＤＶＤ−ＶＲフォーマットからＤＶＤ−Ｖｉｄｅｏフォーマットへの変換においては、特に記述しなかったが、これらは、上記に示した要綱を遵守すればどのような方法でおこなっても本発明においては、特に構わない。
【００５１】
【発明の効果】
以上説明したように、この発明によれば、ＤＶＤ−ＶＲフォーマットで示されるＳＣＲ値がある一定値以上になっても、長時間記録が可能になる。また、編集後にＤＶＤ−Ｖｉｄｅｏフォーマットに変換する場合、より効率的な変換が可能になる。
【図面の簡単な説明】
【図１】  この発明の一実施の形態について説明するためのシステム構成図。
【図２】  ＤＶＤ−ＶＲのメイン管理情報とビデオオブジェクトとの関係について説明するための説明図。
【図３】  ＤＶＤ−ＶＲのＰＧＣ・ＶＯＢチェーン情報について説明するための説明図。
【図４】  ＶＯＢが分割したときのＰＧＣ・ＣＥＬＬとの関係について説明するための説明図。
【図５】  この発明の動作について説明するためのフローチャート。
【符号の説明】
５・・・エンコーダ
６・・・フォーマッタ
７・・・データ処理部
８・・・ＤＶＤ−ＲＡＭドライバ
９・・・ハードディスクドライバ
１０・・・デコーダ
８１・・・ＤＶＤ−ＲＡＭ
９１・・・ハードディスク
【図１】
0003888680.tif 000002
【図２】
0003888680.tif 000003
【図３】
0003888680.tif 000004
【図４】
0003888680.tif 000005
【図５】
0003888680.tif 000006